(57)【要約】【課題】  管理エリアへの工具搬入出の管理の効率化を図るとともに、工具の誤搬入や置忘れを速やかに認知することができる工具の管理手段および管理方法を提供する。【解決手段】  工具管理装置１は、１以上のエリアからなる施設のエリアの出入口にＲＦＩＤタグリーダ５を設置し、出入口を通過する工具のＲＦＩＤタグのデータを読み取り、ネットワーク３を介して工具管理装置１へ送信する。また、作業計画書のデータが端末装置２から入力される。そこで、工具管理装置１は、リアルタイムでＲＦＩＤタグリーダ５から収集した工具所在現況データと作業計画書のデータとを比較することにより、その不一致データを検出する。そして、端末装置２にその不一致データをエリアの配置図とともに表示する。【選択図】      図１
2006107161.tif 000002
【特許請求の範囲】
【請求項１】
１以上の区域からなる施設において、ＲＦＩＤタグを付した工具が前記区域の出入口を通過するたびに、前記ＲＦＩＤタグに記録されているデータを読み取るＲＦＩＤタグリーダに接続され、前記工具に関するデータを含んで構成されたデータベースを備えた工具管理装置であって、
前記工具管理装置は、
前記ＲＦＩＤタグリーダが前記区域の出入口において、前記工具に付されたＲＦＩＤタグから読み取ったデータを収集し、その収集したデータおよび前記データベースに基づき、工具の所在の現況を示す工具所在現況データを作成し、
入力される作業計画データを取り込んで、その作業計画データおよび前記データベースに基づき、計画上の工具の所在を示す工具所在計画データを作成し、
前記区域の前記工具所在現況データと前記工具所在計画データとを比較し、前記区域の比較結果のデータを作成し、
前記作成した比較結果のデータを出力すること
を特徴とする工具管理装置。
【請求項２】
請求項１に記載の工具管理装置において、
前記工具管理装置は、さらに、表示機能を備えた１以上の端末装置に接続され、
前記作業計画データが、前記端末装置のいずれかの端末装置から入力され、
前記比較結果のデータが、前記端末装置のいずれかの端末装置へ出力されること
を特徴とする工具管理装置。
【請求項３】
請求項２に記載の工具管理装置において、前記工具管理装置は、
前記端末装置に前記施設の区域の配置図を表示させるためのデータと、その表示される配置図上の区域の位置に、その区域の前記比較結果のデータを表示させるためのデータとを、前記端末装置へ出力すること
を特徴とする工具管理装置。
【請求項４】
請求項３に記載の工具管理装置において、
前記施設の区域の配置図が表示された前記端末装置から、区域の一つを選択するデータの入力を受け付けた場合には、前記選択された区域に所在する工具の識別名称を含む詳細情報を前記端末装置に表示させるためのデータを、前記端末装置へ出力すること
を特徴とする工具管理装置。
【請求項５】
請求項３または請求項４に記載の工具管理装置において、
前記端末装置から前記工具を所有する会社名または前記工具を搬入した作業者名のデータ、および、フィルタリングを指示するデータの入力を受け付けた場合には、前記端末装置に表示させるために出力するデータを前記会社名または前記作業者名のデータによってフィルタリングし、前記フィルタリングによって得られたデータを識別可能なように表示させるデータを、前記端末装置へ出力すること
を特徴とする工具管理装置。
【請求項６】
請求項３ないし請求項５のいずれか１項に記載の工具管理装置において、
前記端末装置から前記工具の識別名称およびそのルート表示を指示するデータの入力を受け付けた場合には、前記施設の区域の配置図上で前記指示された識別名称の工具の移動ルートを前記端末装置に表示させるためのデータを、前記端末装置へ出力すること
を特徴とする工具管理装置。
【請求項７】
１以上の区域からなる施設において、ＲＦＩＤタグを付した工具が前記区域の出入口を通過するたびに、前記ＲＦＩＤタグに記録されているデータを読み取るＲＦＩＤタグリーダに接続され、前記工具に関するデータを含んで構成されたデータベースを備えた工具管理装置における工具管理方法であって、
前記工具管理装置は、
前記区域の出入口において前記ＲＦＩＤタグリーダが前記工具に付されたＲＦＩＤタグから読み取ったデータを収集し、その収集したデータおよび前記データベースに基づき、工具の所在の現況を示す工具所在現況データを作成するステップと、
入力される作業計画データを取り込んで、その作業計画データおよび前記データベースに基づき、計画上の工具の所在を示す工具所在計画データを作成するステップと、
前記区域の前記工具所在現況データと前記工具所在計画データとを比較し、前記区域の比較結果のデータを作成するステップと、
前記作成した比較結果のデータを出力するステップと
を実行することを特徴とする工具管理方法。
【請求項８】
１以上の区域からなる施設において、ＲＦＩＤタグを付した工具が前記区域の出入口を通過するたびに、前記ＲＦＩＤタグに記録されているデータを読み取るＲＦＩＤタグリーダと、入出力装置として使用される端末装置とに接続され、前記工具に関するデータを含んで構成されたデータベースを備えた工具管理装置における工具管理方法であって、
前記工具管理装置は、
前記区域の出入口において前記ＲＦＩＤタグリーダが前記工具に付されたＲＦＩＤタグから読み取ったデータを収集し、その収集したデータに基づき、工具の所在の現況を示す工具所在現況データを作成するステップと、
前記端末装置から入力される作業計画データを取り込んで、その作業計画データに基づき、少なくとも前記区域内の計画上の工具の所在を示す工具所在計画データを作成するステップと、
前記区域の前記工具所在現況データと前記工具所在計画データとを比較し、前記区域の比較結果のデータを作成するステップと、
前記端末装置に前記施設の区域の配置図を表示させるためのデータと、その表示される配置図上の区域の位置に、その区域の前記比較結果のデータを表示させるためのデータとを、前記端末装置へ出力するするステップ
を実行することを特徴とする工具管理方法。
【請求項９】
前記工具管理装置は、
前記施設の区域の配置図が表示された前記端末装置から、その区域の一つを選択するデータの入力を受け付けた場合には、前記選択された区域に所在する工具の識別名称を含む詳細情報を前記端末装置に表示させるためのデータを、前記端末装置へ出力するステップ
を、さらに、実行することを特徴とする請求項８に記載の工具管理方法。
【請求項１０】
前記工具管理装置は、
前記端末装置から前記工具を所有する会社名または前記工具を搬入した作業者名のデータ、および、フィルタリングを指示するデータの入力を受け付けた場合には、前記端末装置に表示させるために出力するデータを前記会社名または前記作業者名のデータによってフィルタリングし、前記フィルタリングによって得られたデータを識別可能なように表示させるデータを、前記端末装置へ出力するステップ
を、さらに、実行することを特徴とする請求項８または請求項９に記載の工具管理方法。
【請求項１１】
前記工具管理装置は、
前記端末装置から前記工具の識別名称およびそのルート表示を指示するデータの入力を受け付けた場合には、前記施設の区域の配置図上で前記指示された識別名称の工具の移動ルートを前記端末装置に表示させるためのデータを、前記端末装置へ出力するステップ
を、さらに、実行することを特徴とする請求項８ないし請求項１０のいずれか１項に記載の工具管理方法。
【請求項１２】
請求項７ないし請求項１１のいずれか１項に記載の工具管理方法をコンピュータに実行させるためのプログラムであること
を特徴とする工具管理プログラム。
【請求項１３】
請求項１２に記載の工具管理プログラムをコンピュータ読み取り可能な記憶媒体に記憶したこと
を特徴とする工具管理プログラム記憶媒体。
【発明の詳細な説明】
【技術分野】
【０００１】
本発明は、ＲＦＩＤ（Radio Frequency Identification）タグを付設した工具を管理する、特に、その工具の所在場所を管理する工具管理装置、工具管理方法、工具管理プログラムおよび工具管理プログラム記憶媒体に関する。
【背景技術】
【０００２】
例えば、原子力発電所などの原子力関係施設においては、安全管理の面から施設を複数の管理エリアに区切り、管理エリアごとに作業者および物品の出入りを管理している。一般に、物品がある程度以上の大きさをしている場合、例えば、物品がノートパソコンやオシロスコープなどよりも大きい場合には、管理エリアのゲートでその物品の出入りを管理するのは容易である。物品がある程度以上の大きさであれば、作業者の目に付き易く、作業者が、作業終了後に、それを管理エリア内に置忘れることは、ほとんどあり得ない。
【０００３】
一方、物品がペンチやニッパなどの小物の工具であった場合には、その物品の出入りを管理するのは、必ずしも容易でない。小物の工具は、小さいので目に付きにくく、類似のものが多数あるため、作業者が工具をあるエリアに置忘れたり、誤搬入したりしても気づかないことがある。従って、小物の工具の出入りを厳しく管理するには、その工具の一つ一つに識別番号を付けて管理する必要がある。しかしながら、小物の工具にまでそのような管理をすると、工具を搬入出する手続きが煩雑になり、非効率であった。
【０００４】
そこで、近年、物品の出入りや所在を管理するためにＲＦＩＤタグが用いられ始めている。例えば、特許文献１には、搬送装置などの移動機器や工具などに電子タグ（ＲＦＩＤタグ）を付し、その電子タグにより、移動機器や工具などの所在位置を把握するプラント機器監視装置の例が開示されている。このプラント機器監視装置によれば、移動機器や工具などの所在位置は、センタの監視盤の地図上に表示される。
【特許文献１】特開２００１−５１７１７号公報（段落００２６、段落０２００〜段落０２０２、図１８）
【発明の開示】
【発明が解決しようとする課題】
【０００５】
しかしながら、特許文献１に開示されているプラント機器監視装置は、ＲＦＩＤタグを用いて機器または工具の所在位置を検出するだけである。すなわち、前記プラント機器監視装置は、機器や工具が本当にあるべき場所にあるのかについては、何の情報も提供しない。そのため、工具が誤って予定とは異なった区画へ搬入されても、作業者はその誤りをすぐには認知することができない。
【０００６】
以上の従来技術の問題点に鑑み、本発明の目的は、管理エリアへの工具搬入出の管理の効率化を図るとともに、工具の誤搬入や置忘れを速やかに認知することができる工具の管理手段および管理方法を提供することにある。
【課題を解決するための手段】
【０００７】
前記の課題を解決するために、本発明の工具管理装置は、１以上の区域（エリア）からなる施設において、ＲＦＩＤタグを付した工具が前記区域の出入口を通過するたびに、そのＲＦＩＤタグに記録されているデータを読み取るＲＦＩＤタグリーダに接続され、工具に関するデータおよび区域に関するデータを含んで構成されるデータベースを備えた工具管理装置であって、その工具管理装置は、ＲＦＩＤタグリーダが区域の出入口において、工具に付されたＲＦＩＤタグから読み取ったデータを収集し、その収集したデータおよび前記データベースに基づき、工具の所在の現況を示す工具所在現況データを作成し、入力される作業計画データを取り込んで、その作業計画データおよび前記データベースに基づき、少なくとも区域内の計画上の工具の所在を示す工具所在計画データを作成し、区域ごとに前記工具所在現況データと前記工具所在計画データとを比較し、区域ごとの比較結果のデータを作成し、その作成した比較結果のデータを出力することを特徴とする。
【０００８】
さらに、本発明の工具管理装置は、端末装置に接続され、その端末装置から作業計画データが入力され、また、施設の区域の配置図を表示させるためのデータと、その表示される配置図上の区域の位置に、その区域の比較結果のデータを表示させるためのデータとを、端末装置へ出力する。
【０００９】
すなわち、本発明では、ＲＦＩＤタグリーダは、施設の各区域の出入口において、その区域に搬入または搬出される工具について、その工具に付されているＲＦＩＤタグに記録されているデータを非接触通信手段により読み取る。工具管理装置は、施設の各区域の出入口においてＲＦＩＤタグリーダが読み取ったＲＦＩＤタグのデータを収集する。従って、工具管理装置は、効率よくリアルタイムで各区域への工具の搬入出を管理することができる。そして、どの工具がどの区域に所在するか（工具所在現況データ）を常に把握することができる。
【００１０】
さらに、本発明の工具管理装置は、端末装置から作業計画書を入力する。そして、入力した作業計画データからそのとき工具が所在すべき区域を示した工具所在計画データを求める。そして、リアルタイムで得られる工具所在現況データと作業計画データから得られる工具所在計画データを比較し、比較結果のデータを各区域の配置図上に表示する。比較結果のデータは、つまり、工具所在現況データと工具所在計画データとの不一致のデータである。施設や作業の管理者は、その不一致のデータを見ることによって、工具の誤搬入や置忘れを容易かつ速やかに認知することができる。
【発明の効果】
【００１１】
本発明によれば、管理エリアへの工具搬入出の管理の効率化を図るとともに、工具の誤搬入や置忘れを速やかに認知することができるようになる。
【発明を実施するための最良の形態】
【００１２】
以下、本発明の実施形態について図面を用いて詳しく説明する。
【００１３】
図１は、本実施形態に係る工具管理システムの構成の例を示した図である。図１において、工具管理システム１０は、工具管理装置１が、ネットワーク３を介して、複数のＲＦＩＤタグリーダ制御装置４およびＲＦＩＤタグリーダ５に接続されて構成されたシステムである。このような工具管理システムは、例えば、原子力発電施設などのように立ち入りが厳しく規制された施設に適用される。このような施設は、通常、複数のエリア（請求項では、区域と記載）に分けられており、それぞれのエリアごとに、その出入口において人の出入および物の搬入出がチェックされる。
【００１４】
本実施形態においては、そのエリアの出入口にＲＦＩＤタグリーダ制御装置４およびＲＦＩＤタグリーダ５が配置されている。そして、そのエリアに出入する作業者は、ＲＦＩＤタグを貼付した出入許可証を持っており、また、搬入出する工具には、すべて、その識別名称を記録したＲＦＩＤタグが貼付されている。ここで、工具とは、ペンチやニッパの小物の工具を含むとともに、計測装置やパソコンなどを含むものとする。また、工具の識別名称とは、その工具の名称、型式、個別識別番号を含むものとする。
【００１５】
ＲＦＩＤタグは、通常、電気的に書き換え可能な不揮発性メモリと送受信回路と制御回路とを含んで構成される。工具の識別名称などの情報は、その不揮発性メモリにあらかじめ記録される。ＲＦＩＤタグは、ＲＦＩＤタグリーダ５からの電波を受信すると、それに応答して、制御回路がその不揮発性メモリに格納されているデータを読み出し、送受信回路がその読み出されたデータをＲＦＩＤタグリーダ５へ向けて送信する。
【００１６】
ＲＦＩＤタグリーダ５は、少なくとも送受信回路を含み、ＲＦＩＤタグリーダ制御装置４の指示に基づき、ＲＦＩＤタグを起動する電波を発信し、ＲＦＩＤタグから送信されるデータを受信する。なお、ＲＦＩＤタグリーダ５は、ハンディタイプのものでもよく、または、例えば、天井など、上部に設置され、その下を通過する作業者の出入許可証や工具に貼付されているＲＦＩＤタグから送信されるデータを受信するタイプのものであってもよい。
【００１７】
ＲＦＩＤタグリーダ制御装置４は、ネットワークインターフェースとＣＰＵ（Central Processing Unit）とによって構成された制御部とを含み、制御部は、ＲＦＩＤタグリーダ５の送受信動作を制御するとともに、ネットワークインターフェースを介してネットワーク３に対するデータの入出力を制御する。なお、ＲＦＩＤタグリーダ制御装置４は、複数のＲＦＩＤタグリーダ５を制御することができる。従って、一つのＲＦＩＤタグリーダ制御装置４に複数のＲＦＩＤタグリーダ５を接続しても構わない。
【００１８】
実際、エリアの出入口には、搬入される工具のＲＦＩＤタグを読み取るＲＦＩＤタグリーダ５と、搬出される工具のＲＦＩＤタグを読み取るＲＦＩＤタグリーダ５とが設けられ、これらのＲＦＩＤタグリーダ５は、通常、一つのＲＦＩＤタグリーダ制御装置４に接続される。なお、作業者や工具の出入りがほとんど行われないような場合には、ＲＦＩＤタグリーダ５を一つで済ませることもできる。ただし、この場合には、搬入／搬出を区別するための切り換えスイッチをＲＦＩＤタグリーダ制御装置４またはＲＦＩＤタグリーダ５に付けておく必要がある。
【００１９】
さらに、図１において、ネットワーク３は、通常、例えば、イーサネット（登録商標）を用いたＬＡＮ（Local Area Network）などで構成されるが、ＰＨＳ（Personal Handy phone System）などの無線の通信回線を利用して構成してもよい。そのネットワーク３には、各エリアの出入口に設けられたＲＦＩＤタグリーダ制御装置４が接続されるとともに、工具管理装置１が接続される。
【００２０】
工具管理装置１は、工具管理データベース部（以下、工具管理ＤＢ部という）１１を備えたワークステーションやパソコンなどのコンピュータであり、施設管理者や作業管理者などの利用者が管理用に使用する端末装置２が接続される。端末装置２は、少なくとも、キーボードやマウスなどの入力装置と、ＬＣＤ（Liquid Crystal Display）ディスプレイなどの表示装置とを備える。また、端末装置２は、必要に応じて、入力装置としてＣＤ−ＲＯＭ（Compact Disk Read Only Memory）ドライブ装置（図示せず）などのコンピュータ読み取り可能な記憶媒体の読み取り装置を備える。
【００２１】
なお、図１では、端末装置２は、工具管理装置１に直接接続されているが、ネットワーク３を介して接続されても構わない。また、複数の端末装置２がネットワーク３を介して接続されても構わない。
【００２２】
次に、図２および図３を参照しながら、本実施形態に係る工具管理装置１のハードウエアおよびソフトウエアの構成について説明する。ここで、図２は、工具管理装置のハードウエアの構成例を示した図であり、図３は、工具管理装置のソフトウエアの構成例を示した図である。
【００２３】
図２に示すように、工具管理装置１は、一般の情報・演算処理装置であるＣＰＵ１０１と、ＣＰＵが実行するプログラムを格納するとともに、そのプログラムの実行に際して作業用領域として用いられるメモリ１０２と、前記プログラムおよび工具管理ＤＢ部１１を記憶・保存するハードディスク記憶装置１０３と、ネットワーク３に接続されるネットワークインターフェース１０４と、端末装置２などに接続される入出力インターフェース１０５とを少なくとも備えて構成される。
【００２４】
また、図３に示すように、工具管理装置１は、タグデータ受信処理部１３、作業計画書入力処理部１４、工具所在現況比較処理部１５の各プログラムと、工具管理ＤＢ部１１、エリアマップＤＢ１２の各データベースにより構成される。ここで、工具所在現況比較処理部１５は、その実行時に作成される工具所在現況データ１５１と、工具所在計画データ１５２と、工具所在比較結果データ１５３とを含む。また、工具管理ＤＢ部１１は、工具搬入出履歴ファイル１１１と、作業計画書ファイル１１２と、工具マスタファイル１１３と、作業者マスタファイル１１４と、エリアマスタファイル１１５とを含んで構成される。なお、工具管理装置１は、さらに、図示しないプログラムやデータベースを含む。
【００２５】
工具管理装置１のプログラム、すなわち、図示しないプログラムを含め、前記各プログラム１３〜１５は、通常、当初は、ＣＤ−ＲＯＭなどのコンピュータ読み取り可能な記憶媒体に記憶される。そして、そのプログラムは、ＣＤ−ＲＯＭドライブ装置などのコンピュータ読み取り可能な記憶媒体の読み取り装置を介して、ハードディスク記憶装置１０３にいったん保存される。ＣＰＵ１０１は、ハードディスク記憶装置１０３に保存されているプログラムをメモリ１０２へ格納しなおし、そのプログラムを読み出しながら実行する。ＣＰＵ１０１が、工具管理装置１の所定のプログラム、例えば、前記各プログラム１３〜１５を実行することにより、工具管理装置１の所定の機能が実現される。
【００２６】
図４は、工具管理ＤＢ部のファイルの構成およびその関係をＥＲ図（Entity Relation Diagram）で示した図である。ＥＲ図とは、データベースを構成する実体（この場合は、ファイル）の関係を示した図である。
【００２７】
図４において、基本となるファイルは、工具マスタファイル１１３、作業者マスタファイル１１４およびエリアマスタファイル１１５である。工具マスタファイル１１３のレコードは、ユニークキー項目として「工具ＩＤ」、属性項目として、「工具名」、その工具の「所有会社名」、使用中、待機中、故障中など工具の状態を表す「状態」によって構成される。すなわち、ユニークなコードである工具ＩＤを工具に付しておくと、その工具ＩＤが分かれば、工具マスタファイル１１３を参照することにより、その工具名、所有会社名、状態などの工具の属性を知ることができる。同様に、作業者マスタファイル１１４のレコードは、「作業者ＩＤ」、「作業者名」およびその作業者の「所属会社名」の項目からなり、エリアマスタファイル１１５のレコードは、「エリアＩＤ」、「エリア名」および「プラント名」の項目からなる。なお、図４では、ユニークキー項目には、＃印が付されている。
【００２８】
なお、これらのファイル１１３〜１１５のレコードは、新しい工具が購入されたり、古い工具が廃棄されたりしたときや、エリアの構成に変更があったときなどに、例えば、端末装置２から入力され、それぞれのファイル１１３〜１１５に記録される。
【００２９】
図４において、工具搬入出履歴ファイル１１１のレコードは、タグデータ受信処理部１３のプログラムが実行されることによって作成される。すなわち、ある工具があるエリアに搬入出されるときに、その工具のＲＦＩＤタグのデータ（例えば、工具ＩＤ）は、ＲＦＩＤタグリーダ５に読み込まれる。そして、ＲＦＩＤタグリーダ制御装置４において、搬入出日時、搬入出者ＩＤ、搬入出エリアＩＤなどのデータが付されて、工具管理装置１へ送信される。工具管理装置１は、タグデータ受信処理部１３のプログラムにおいて、そのデータを受信し、「工具ＩＤ」、「搬入日時」、「搬入者ＩＤ」、「搬出日時」、「搬出者ＩＤ」および「搬入出エリアＩＤ」からなるレコードを作製し、工具搬入出履歴ファイル１１１に記録する。
【００３０】
以上のように、タグデータ受信処理部１３は、各エリアに搬入出される工具の情報をリアルタイムで収集するプログラムということができる。
【００３１】
また、作業計画書ファイル１１２のレコードは、作業計画書入力処理部１４のプログラムが実行されることによって作成される。そのレコードは、「作業ＩＤ」、「作業件名」、「作業期間」、「作業エリア」、「施工会社名」からなるが、その元となるデータは、端末装置２から入力されるので、工具管理装置１は、作業計画書入力処理部１４のプログラムにおいて、そのデータを読み取って、レコードを作成し、作業計画書ファイル１１２に記録する。なお、工具管理装置１に複数の端末装置２が接続されている場合、作業計画書ファイル１１２の元データを入力する端末装置２は、そのいずれの端末装置２であっても構わないし、その中のいずれかに限定された端末装置２であっても構わない。
【００３２】
さらに、作業計画書のデータとして、作業ごとに、その作業に関わる工具の工具ＩＤと、作業者の作業者ＩＤと、エリアのエリアＩＤとが入力される。これらの工具ＩＤと、作業者ＩＤと、エリアＩＤのデータは、作業ＩＤに対応させたリンクテーブル１１２１〜１１２３として記憶される。なお、これらのリンクテーブル１１２１〜１１２３は、図４のＥＲ図において、ファイル間のデータをつなぐテーブルである。
【００３３】
なお、図４のＥＲ図において、ファイルを接続する線の両端の一重および二重の矢印は、その付け方によって、そのファイルのレコードの関係が、１対１、１対複数、複数対１または複数対複数（一重矢印は１、二重矢印は複数）を意味している。例えば、工具マスタファイル１１３に存在するある工具ＩＤは、工具搬入出履歴ファイル１１１には複数存在し得るが、工具搬入出履歴ファイル１１１にある工具ＩＤは、工具マスタファイル１１３には１つしか存在しない。
【００３４】
以上のようにして、工具管理ＤＢ部１１に、工具搬入出履歴ファイル１１１および作業計画書ファイル１１２のレコードが記録されていくと、工具所在現況比較処理部１５のプログラムが実行される。次に、図５〜図７を参照しながら、工具所在現況比較処理部１５の詳細について説明する。
【００３５】
図５は、工具所在現況チェック処理のフローチャートを示した図である。また、図６は、工具所在現況チェック処理において、フロア情報およびエリア情報を表示した表示画面の例を示した図、図７は、工具の移動ルートを表示した表示画面の例を示した図である。
【００３６】
図５において、まず、工具管理装置１のＣＰＵ１０１は、エリアマップＤＢ１２から施設のエリアの配置地図情報（エリアマップデータ）を読み出す（ステップＳ１１）。このデータは、端末装置２の表示装置に施設のエリアの配置地図を表示するデータである。ただし、その表示は後記するステップで行う。
【００３７】
次に、ＣＰＵ１０１は、当該施設のエリアＩＤを一つ選択する（ステップＳ１２）。そして、工具搬入出履歴ファイル１１１を検索し、その時刻において、そのエリアＩＤが示すエリア内に存在する工具ＩＤおよび作業者ＩＤを抽出し、抽出したデータに基づき、工具所在現況データ１５１を作成する（ステップＳ１３）。ここで、工具所在現況データ１５１には、工具名、作業者名および現在時刻を記憶されるが、個別識別が必要な場合には、工具名および作業者名は、工具ＩＤおよび作業者ＩＤで記憶される。なお、工具所在現況データ１５１を記憶する実体は、メモリ１０２である。
【００３８】
次に、ＣＰＵ１０１は、同様に、作業計画書ファイル１１２を検索して、その時刻において、そのエリアＩＤが示すエリア内に存在する工具ＩＤおよび作業者ＩＤを抽出し、抽出したデータに基づき、工具所在計画データ１５２を作成する（ステップＳ１４）。この場合も、工具所在計画データ１５２には、搬入予定工具名、作業者名および作業期間が記憶されるが、個別識別が必要な場合には、その工具名および作業者名は、工具ＩＤおよび作業者ＩＤも含めて記憶される。なお、工具所在計画データ１５２を記憶する実体は、メモリ１０２である。
【００３９】
次に、ＣＰＵ１０１は、工具所在現況データ１５１と工具所在計画データ１５２とを比較する（ステップＳ１５）。通常、この比較においては、工具ＩＤを含めて両者を比較する。ただし、ニッパやペンチなどの小物の工具については、個別識別が必ずしも必要でない場合がある。その場合には、この比較において、工具ＩＤが一致しなくても、工具名が一致すれば、工具は一致したものとする。
【００４０】
そして、その比較結果のデータ、例えば、不一致データ数を工具所在比較結果データ１５３として記憶する（ステップＳ１６）。工具所在比較結果データ１５３は、メモリ１０２に記憶されるが、その記憶領域は、例えば、工具所在現況データ１５１の末尾に続けて割当てられてもよい。
【００４１】
以上のステップＳ１２〜ステップＳ１６までの処理を、当該施設のエリアＩＤがすべて選択されるまで繰り返して実行する（ステップＳ１７）。
【００４２】
次に、ＣＰＵ１０１は、図６のフロア情報ウインドウ６１に示すような施設のエリアの配置を示したフロア地図を表示し、各エリアの配置位置にそのエリアの不一致データ数を表示する（ステップＳ１８）。図６では、不一致数は、不一致がなければ表示していない。また、不一致数のほかに、そのとき実際に所在する工具数を表示している。
【００４３】
このとき、画面には、図６に示すように、「全情報」、「自社情報」、「作業者情報」および「終了」のボタンが表示される。ただし、この時点では、エリア情報ウインドウ６２および「ルート表示」のボタンはまだ表示されていない。
【００４４】
次に、フロア地図として表示されたエリア配置図上で、マウスなどの入力装置によってひとつのエリアが選択され、クリックされると（ステップＳ１９でＹｅｓ）、ＣＰＵ１０１は、その入力を受け付けて、選択されたエリアにおける工具の所在現況を示したエリア詳細情報を、エリア情報ウインドウ６２に表示する（ステップＳ２０）。図６では、詳細情報として、例えば、工具ア〜オおよびその工具が搬入された時刻および搬入者が表示されている。また、不一致データとして、工具カが搬入されていないことが表示されている。このとき、不一致データは、赤色表示や点滅表示するなどして、よく目に付くように表示される。なお、このエリア情報ウインドウ６２が表示されるとき、「ルート表示」ボタンも表示される。
【００４５】
また、図５のフローチャートには図示していないが、図６に表示されている画面で、例えば「作業者情報」ボタンがクリックされると、その作業者（端末装置２を操作しているログインユーザ）の作業者ＩＤにより、工具所在現況データおよび工具所在計画データをフィルタリングし、画面にはフィルタリング後のデータが表示される。あるいは、図６のエリア情報ウインドウ６２のように、フィルタリングされたデータは、表示文字色を変えたり、背景色を変えたりして、強調表示をしてもよい。
【００４６】
同様に、「自社情報」のボタンがクリックされると、ログインユーザの所属会社が所有する工具のデータがフィルタリングされて表示される。また、「全情報」ボタンがクリックされるとフィルタリングが解除されて表示される。このようにしたことによって、例えば、作業の施工会社の管理者は、自社の作業者または工具がどのブロックにいるかまたはあるか、あるいは、搬入されていない工具または置忘れの工具が自社のものなのか自社のものでないのかを容易に把握することができる。
【００４７】
次に図６のエリア情報ウインドウ６２において、ある工具が選択され、「ルート表示」ボタンがクリックされると（ステップＳ２１でＹｅｓ）、ＣＰＵ１０１は、その入力を受け付けて、図７のフロア情報ウインドウ６１Ａに示すように、選択された工具の移動ルートを表示する（ステップＳ２２）。例えば、図７では、エリアＡに搬入されていないとされた工具カの移動ルートが示されている。それによれば、工具カは、いったんエリアＡに搬入されたが、その後、誤って搬出されたことが分かる。図７では、そのルート表示に搬入出時刻が表示されているが、さらに、搬入出者の情報を表示してもよい。
【００４８】
また、図７のフロア情報ウインドウ６１Ａにおいては、工具の移動ルート表示がされるときに、同時に、「戻る」ボタンが表示される。そして、この「戻る」ボタンがクリックされると（ステップＳ２３でＹｅｓ）、フロア情報ウインドウにおける工具の移動ルート表示は、消去され、ステップＳ１８へ戻って、フロア情報ウインドウ６１に、フロア地図と各エリアの不一致数のデータが表示される。
【００４９】
次に、図６または図７の表示画面において、「終了」ボタンがクリックされると（ステップＳ２４でＹｅｓ）、ＣＰＵ１０１は、その入力を受け付けて、工具所在現況比較処理部１５の処理を終了する。
【００５０】
一方、何の操作もされなかった場合、つまり、ＣＰＵ１０１が何のクリック入力も受け付けなかった場合には（ステップＳ１９，Ｓ２１，Ｓ２４でＮｏ）、所定の時間が経過したかを判定し、経過していなかった場合には（ステップＳ２４でＮｏ）、ステップ１９へ戻って、クリックの入力を待つ。また、所定の時間が経過した場合には（ステップＳ２５でＹｅｓ）、ステップＳ１２へ戻り、再度、ステップＳ１２からのステップを実行する。
【００５１】
なお、ここで、所定の時間は、１０秒でも、１分でもまたは何分でもよく、工具管理システム１０の管理者が、工具が搬入されるスピードや数に適した値に、適宜設定すればよい。
【００５２】
以上、本実施形態においては、ＲＦＩＤタグリーダ５は、各エリアの出入口において、工具に付されたＲＦＩＤタグのデータを読み取り、それをリアルタイムで、工具管理装置１へ送信するので、工具管理装置１は、工具所在現況データ１５１を容易に作成することができる。また、端末装置２から入力される作業計画書のデータに基づき、工具所在計画データ１５２を作成する。そして、工具所在現況データ１５１を工具所在計画データ１５２と比較し、その不一致データ数などの工具所在比較結果データ１５３求め、その工具所在比較結果データ１５３を当該施設のエリアの配置図などとともに端末装置２に表示する。その表示により、施設の管理者、作業の管理者または作業者は、工具の誤搬入や置忘れを、容易にかつ速やかに認知することができる。
【図面の簡単な説明】
【００５３】
【図１】本発明の実施形態に係る工具管理システムの構成の例を示した図である。
【図２】本発明の実施形態に係る工具管理装置のハードウエアの構成例を示した図である。
【図３】本発明の実施形態に係る工具管理装置のソフトウエアの構成例を示した図である。
【図４】本発明の実施形態に係る工具管理ＤＢ部のファイルの構成およびその関係をＥＲ図で示した図である。
【図５】本発明の実施形態に係る工具所在現況チェック処理のフローチャートを示した図である。
【図６】本発明の実施形態に係る工具所在現況チェック処理において、フロア情報およびエリア情報を表示した表示画面の例を示したである。
【図７】本発明の実施形態に係る工具所在現況チェック処理において、工具の移動ルートを表示した表示画面の例を示したである。
【符号の説明】
【００５４】
１      工具管理装置
２      端末装置
３      ネットワーク
４      ＲＦＩＤタグリーダ制御装置
５      ＲＦＩＤタグリーダ
１０    工具管理システム
１１    工具管理ＤＢ部
１２    エリアマップＤＢ
１３    タグデータ受信処理部
１４    作業計画書入力処理部
１５    工具所在現況比較処理部
１０１  ＣＰＵ
１０２  メモリ
１０３  ハードディスク記憶装置
１０４  ネットワークインターフェース
１０５  入出力インターフェース
１１１  工具搬入出履歴ファイル
１１２  作業計画書ファイル
１１３  工具マスタファイル
１１４  作業者マスタファイル
１１５  エリアマスタファイル
１５１  工具所在現況データ
１５２  工具所在計画データ
１５３  工具所在比較結果データ
【図１】
2006107161.tif 000003
【図２】
2006107161.tif 000004
【図３】
2006107161.tif 000005
【図４】
2006107161.tif 000006
【図５】
2006107161.tif 000007
【図６】
2006107161.tif 000008
【図７】
2006107161.tif 000009